(57)【特許請求の範囲】
【請求項１】
ガラスカーテンウォールとした外壁に面する位置に設けられたエレベーターシャフト空間と、前記エレベーターシャフト空間に臨む位置に設けられたリフレッシュルームとを具備し、
前記リフレッシュルームと前記エレベーターシャフト空間とを仕切る壁面の少なくとも一部は、透明材料によって構成され、
前記外壁からみて前記リフレッシュルームの背後側に接する位置に通路が設けられていることを特徴とする建物。
【請求項２】
前記リフレッシュルームは、前記外壁からみて前記エレベーターシャフト空間の背後となる側に配され、前記リフレッシュルームにおいて前記外壁からみて背後となる側の壁面の少なくとも一部は、透明材料によって構成されている請求項１に記載の建物。
【請求項３】
前記リフレッシュルームは、前記エレベーターシャフト空間内を昇降するエレベーターかごに乗り降り不可能な非停止階において、前記エレベーターかごに乗り降り可能な停止階に設けられるエレベーターホールの真上又は真下に相当する位置に配され、
前記エレベーターホールは、前記外壁に面する位置から建物内側に向かって延び、該エレベーターホールを両側から挟む位置において前記エレベーターかごが昇降するように構成されている請求項１又は２に記載の建物。
【請求項４】
前記エレベーターシャフト空間内には、前記リフレッシュルームよりも前記外壁寄りに位置するエレベーターかごの前面側に多孔スクリーンが設けられ、かつ、前面側に前記多孔スクリーンが設けられた前記エレベーターかごは外部に向けて光を照射する発光部を有するように構成してある請求項３に記載の建物。
【発明の詳細な説明】
【技術分野】
【０００１】
本発明は、例えば、エレベーターシャフト空間を有する建物に関する。
【背景技術】
【０００２】
従来、図５（Ａ）及び（Ｂ）に示すように、エレベーターシャフト空間５１は、周囲を壁５２に閉ざされ、自然光の入らない閉鎖的な環境になりがちである。そして、例えば高層ビルにおいては、エレベーターシャフト空間５１が建物全体に占める容積は相当なものになるにもかかわらず、有効利用されていない場合が多い。
【先行技術文献】
【特許文献】
【０００３】
【特許文献１】特開平１１−２６９９９４号公報
【発明の概要】
【発明が解決しようとする課題】
【０００４】
特許文献１には、エレベーターシャフト空間を床面の一部とし、事務室面積の増加のために利用することが記載されているが、これはエレベーターシャフト空間の有効利用を図ったほんの一例に過ぎず、エレベーターシャフト空間の有効利用については未だ改善の余地が大きいと考えられる。
【０００５】
本発明は上述の事柄に留意してなされたもので、その目的は、エレベーターシャフト空間を極めて有効に活用することのできる建物を提供することにある。
【課題を解決するための手段】
【０００６】
上記目的を達成するために、本発明に係る建物は、ガラスカーテンウォールとした外壁に面する位置に設けられたエレベーターシャフト空間と、前記エレベーターシャフト空間に臨む位置に設けられたリフレッシュルームとを具備し、前記リフレッシュルームと前記エレベーターシャフト空間とを仕切る壁面の少なくとも一部は、透明材料によって構成され、前記外壁からみて前記リフレッシュルームの背後側に接する位置に通路が設けられている（請求項１）。
【０００７】
上記建物において、前記リフレッシュルームは、前記外壁からみて前記エレベーターシャフト空間の背後となる側に配され、前記リフレッシュルームにおいて前記外壁からみて背後となる側の壁面の少なくとも一部は、透明材料によって構成されていてもよい（請求項２）。
【０００８】
上記建物において、前記リフレッシュルームは、前記エレベーターシャフト空間内を昇降するエレベーターかごに乗り降り不可能な非停止階において、前記エレベーターかごに乗り降り可能な停止階に設けられるエレベーターホールの真上又は真下に相当する位置に配され、前記エレベーターホールは、前記外壁に面する位置から建物内側に向かって延び、該エレベーターホールを両側から挟む位置において前記エレベーターかごが昇降するように構成されていてもよい（請求項３）。そして、この場合、前記エレベーターシャフト空間内には、前記リフレッシュルームよりも前記外壁寄りに位置するエレベーターかごの前面側に多孔スクリーンが設けられ、かつ、前面側に前記多孔スクリーンが設けられた前記エレベーターかごは外部に向けて光を照射する発光部を有するように構成してあってもよい（請求項４）。
【発明の効果】
【０００９】
本願発明では、エレベーターシャフト空間を極めて有効に活用することのできる建物が得られる。
【００１０】
すなわち、本願の各請求項に係る発明の建物では、リフレッシュルームからのエレベーターシャフト空間内の可視化を実現しているので、リフレッシュルームは、エレベーターシャフト空間内において昇降するエレベーターかごを見たり、吹抜けとなっているエレベーターシャフト空間を介して建物の外を見たりすることのできる、眺望、自然光及び快適性に富んだ空間となる。
【００１１】
請求項２に係る発明の建物では、リフレッシュルームと外壁との間にエレベーターシャフト空間が位置するのであり、リフレッシュルームから建物外部を見たときの景色に奥行きを確実に持たせることができる。さらに、リフレッシュルームの背後側に廊下等の通路を設けておけば、その通路からリフレッシュルームを介して見える景色は、リフレッシュルームとエレベーターシャフト空間を挟んで建物の外側を望む一層奥行のあるものとなる。加えて、リフレッシュルームにおいて外壁からみて背後となる側の壁面の少なくとも一部は、透明材料によって構成されているので、リフレッシュルーム内にいる者と通路にいる者との間で視覚的なコミュニケーションを図ることも可能となる。
【００１２】
請求項３に係る発明の建物では、エレベーターかごの停止階ではエレベーターホールとして用いられ、非停止階ではエレベーターホールとしては用いられない利用し難い空間を、リフレッシュルームとして有効利用することができる。
【図面の簡単な説明】
【００１３】
【図１】本発明の一実施の形態に係る建物の要部の構成を概略的に示す縦断側面図である。
【図２】（Ａ）及び（Ｂ）は、図１のＡ−Ａ線断面図及びＢ―Ｂ線断面図である。
【図３】前記建物の要部の構成を概略的に示す横断平面図である。
【図４】図３のＣ−Ｃ線断面図である。
【図５】（Ａ）及び（Ｂ）は、従来の建物の構成を概略的に示す縦断側面図及び横断面図である。
【発明を実施するための形態】
【００１４】
本発明の実施の形態について図面を参照しながら以下に説明する。
【００１５】
本実施の形態に係る建物は、多層建築物であり、図１、図２（Ａ）及び（Ｂ）に示すように、ガラスカーテンウォールとした外壁１に面する位置に設けられたエレベーターシャフト空間２と、エレベーターシャフト空間２に臨む位置に設けられたリフレッシュルーム３とを具備する。ここで、本例のリフレッシュルーム３は、主として喫煙室として利用されることを想定したものであるが、これに限らず、リフレッシュルーム３は、非喫煙室、休憩室、コミュニケーションスペース等として利用されるものであってもよい。なお、図２（Ａ）及び（Ｂ）には、本建物の要部のみを示し、他の部分の図示を省略している。
【００１６】
そして、リフレッシュルーム３とエレベーターシャフト空間２とを仕切る壁面の少なくとも一部は、透明材料によって構成されている。図３に示す例では、リフレッシュルーム３において、外壁１からみて正面となる側の壁面３Ａは、透明材料（本例ではガラススクリーン）によって構成され、外壁１からみて左右となる側の壁面３Ｂ，３Ｃは、一般的なパネル（壁）状に構成されている。
【００１７】
このように本建物では、リフレッシュルーム３からのエレベーターシャフト空間２内の可視化を実現しているので、リフレッシュルーム３は、エレベーターシャフト空間２内において昇降するエレベーターかご４を見たり、吹抜けとなっているエレベーターシャフト空間２を介して建物の外を見たりすることのできる、眺望、自然光及び快適性に富んだ空間となる。
【００１８】
しかも、エレベーターかご４が外部に向けて光を照射する発光部を有するように構成しておけば、夜間の照明演出として壁面３Ａからリフレッシュルーム３内に入射するエレベーターかご４の光の視覚的な流れにより、リフレッシュルーム３内にいながらにしてエレベーターかご４の昇降のスピード感を楽しむこともできる。同時に、本建物の外部から外壁１を通してエレベーターかご４やその間近にあるリフレッシュルーム３を見ることができるので、特に夜間には上記発光部によって本建物の視覚的効果や宣伝広告機能を高めたり、リフレッシュルーム３に入ってみたいという欲求を駆り立てて本建物の顧客吸引力の向上を図ったりすることも可能となる。なお、この発光部としては、エレベーターかご４の外面に取り付けられた照明装置等であってもよいし、エレベーターかご４の外面の少なくとも一部を透明又は半透明材料で構成し、エレベーターかご４内部の光がその透明又は半透明材料を通して外部に放出されるように構成してあってもよい。
【００１９】
また、リフレッシュルーム３は、図３及び図４に示すように、外壁１からみてエレベーターシャフト空間２の背後となる側（少なくとも外壁１とリフレッシュルーム３との間にエレベーターシャフト空間２の一部が介在する位置）に配され、リフレッシュルーム３において外壁１からみて背後となる側の壁面３Ｄの少なくとも一部は、透明材料（本例ではガラススクリーン）によって構成されている。図３に示す例では、壁面３Ｄは通路５に面しており、壁面３Ｄの一部はリフレッシュルーム３の出入り口６になっている。
【００２０】
このように本建物では、リフレッシュルーム３と外壁１との間にエレベーターシャフト空間２が位置するのであり、リフレッシュルーム３から建物外部を見たときの景色に奥行きを確実に持たせることができる。さらに、リフレッシュルーム３の背後側に廊下等の通路５を設けておけば、その通路５から壁面３Ｄ（リフレッシュルーム３）を介して見える景色は、リフレッシュルーム３とエレベーターシャフト空間２を挟んで建物の外側を望む一層奥行のあるものとなる。加えて、壁面３Ｄが透明材料によって構成されているので、リフレッシュルーム３内にいる者と通路５にいる者との間で視覚的なコミュニケーションを図ることも可能となっている。
【００２１】
そして、本建物におけるリフレッシュルーム３は、図２（Ａ）及び（Ｂ）を対比すれば明らかなように、エレベーターシャフト空間２内を昇降するエレベーターかご４に乗り降り不可能な非停止階において、エレベーターかご４に乗り降り可能な停止階に設けられるエレベーターホール７の真上又は真下に相当する位置に配されている。
【００２２】
従って、本建物では、エレベーターかご４の停止階ではエレベーターホール７として用いられ、非停止階ではエレベーターホール７としては用いられない利用し難い空間を、リフレッシュルーム３として有効利用することができる。
【００２３】
また、本建物のエレベーターシャフト空間２内には、図３に示すように、リフレッシュルーム３よりも外壁１寄りに位置する四つのエレベーターかご４の各々前面側（リフレッシュルーム３と外壁１との間にある吹抜け側）に多孔スクリーン（本例ではパンチングメタル）８を設けてあり、上述のように、エレベーターかご４が外部に向けて光を照射する発光部を有するように構成しておけば、多孔スクリーン８の多数の孔からリフレッシュルーム３内に入射するエレベーターかご４の光が幻想的な雰囲気を醸し出すことになる。
【００２４】
なお、本発明は、上記の実施の形態に何ら限定されず、本発明の要旨を逸脱しない範囲において種々に変形して実施し得ることは勿論である。例えば、以下のような変形例を挙げることができる。
【００２５】
上記実施の形態では、リフレッシュルーム３を外壁１から離して配置しているが、これに限らず、リフレッシュルーム３を外壁１に面する位置（接する位置）に配してもよい。
【００２６】
上記実施の形態では、外壁１とリフレッシュルーム３との間をエレベーターかご４が昇降せず、リフレッシュルーム３から外壁１を介して建物外部を見る際にエレベーターかご４がその視界の正面に入らないように構成しているが、これに限らず、外壁１とリフレッシュルーム３との間にエレベーターかご４が昇降するように構成してもよい。
【００２７】
上記実施の形態では、リフレッシュルーム３の壁面３Ａ，３Ｄのみを透明材料によって構成しているが、これに限らず、他の壁面３Ｂ，３Ｃの少なくとも一部を透明材料によって構成し、壁面３Ｂ，３Ｃからもエレベーターシャフト空間２内を眺めることができるようにしてもよい。
【００２８】
なお、上記変形例どうしを適宜組み合わせてもよいことはいうまでもない。
【符号の説明】
【００２９】
１    外壁
２    エレベーターシャフト空間
３    リフレッシュルーム
３Ａ  壁面（透明）
３Ｂ  壁面
３Ｃ  壁面
３Ｄ  壁面（透明）
４    エレベーターかご
５    通路
６    出入り口
７    エレベーターホール
８    多孔スクリーン（パンチングメタル）
５１    エレベーターシャフト空間
５２    壁
【図１】
0006360732.tif 000002
【図２】
0006360732.tif 000003
【図３】
0006360732.tif 000004
【図４】
0006360732.tif 000005
【図５】
0006360732.tif 000006